(57)【要約】【課題】コイン通路を通過するコインが、その表裏がいずれの向きで通過しても、精度良く、通過するコインの材質に基づきコインを識別可能なコインセンサを提案すること。【解決手段】遊技機器用コイン識別機のコインセンサ１は、コイン通路２を挟み対向配置した第１発振側コイル１１および第１受信側コイル３１からなる第１コイン材質検出部３と、コイン通路２を挟み対向配置した第２発振側コイル１４および第２受信側コイル３４からなる第２コイン材質検出部６を備えている。これら第１および第２コイン材質検出部３、６は、コイン通路２を挟み受発信の関係が逆向きとなっているので、これらの検出出力に基づき、コイン通路２を通過するコインＣの材質を精度良く検出できる。よって、コインの真偽、種類の判別を精度良く行うことができる。【選択図】図１
2007179180.tif 000002
【特許請求の範囲】
【請求項１】
コイン通路の一方の側に配置した第１発振側コイルを備えた第１発振回路と、
前記コイン通路を挟み前記第１発振側コイルに対峙させた第１受信側コイルと、
前記コイン通路の他方の側に配置した第２発振側コイルを備えた第２発振回路と、
前記コイン通路を挟み前記第２発振側コイルに対峙させた第２受信側コイルと、
コイン通過時の前記第１受信側コイルの出力の変化、および前記第２受信側コイルの出力の変化に基づき、コインの材質を検出する材質検出回路とを有することを特徴とする遊技機器用コイン識別機のコインセンサ。
【請求項２】
請求項１に記載の遊技機器用コイン識別機のコインセンサにおいて、
コイン通過時における、前記第１受信側コイルの出力の変化および前記第２受信側コイルの出力の変化に基づき、コインの外径を検出する外径検出回路を有していることを特徴とする遊技機器用コイン識別機のコインセンサ。
【請求項３】
請求項２に記載の遊技機器用コイン識別機のコインセンサにおいて、
前記第１発振側コイルおよび前記第１受信側コイルと、前記第２発振側コイルおよび前記第２受信側コイルとは、前記コイン通路のコイン通過方向に沿って所定の間隔で配置されていることを特徴とする遊技機器用コイン識別機のコインセンサ。
【請求項４】
請求項１ないし３のうちのいずれかの項に記載の遊技機器用コイン識別機のコインセンサにおいて、
コイン通過時の前記第１発振側コイルおよび前記第２発振側コイルのうち、少なくとも一方の発振周波数の変化に基づき、コインの厚みを検出する厚み検出回路を有していることを特徴とする遊技機器用コイン識別機のコインセンサ。
【発明の詳細な説明】
【技術分野】
【０００１】
本発明は、遊技店に設置されているパチンコ玉、ゲーム用コインなどの遊技媒体の貸し出しを行う遊技媒体貸出機に搭載されている硬貨識別機、または、遊技機に搭載されているゲーム用コインを識別するためのコイン識別機に用いられるコインセンサに関するものである。
【背景技術】
【０００２】
遊技店においては、パチンコ玉の貸し出しを行うための玉貸機に搭載されている硬貨識別機では、投入された硬貨が通過するコイン通路にコイン材質センサ、コイン厚みセンサ、コイン外径センサなどのコインセンサが配置されている。これらのコインセンサによって検出された材質、厚みおよび外径に基づき、投入された硬貨の真偽、種類が識別される。また、遊技媒体としてコインを用いて遊技を行う遊技機においても、投入されたコインを識別するために、同様なコインセンサが取り付けられている。
【０００３】
特許文献１には、コイン通路を挟み、発振側コイルと受信側コイルを対向配置し、発振側コイルに所定周波数の交流電流を流して発振させ、これによって誘起されるコイン通過時の受信側コイルの出力信号の変化に基づき、通過するコインの材質を検出するコインセンサが開示されている。
【特許文献１】特開２００４−４６５７２号公報
【発明の開示】
【発明が解決しようとする課題】
【０００４】
ここで、一般にコインには表裏の別があり、それぞれ異なる模様、文字などが形成された非対称な凹凸面となっている。また、異なる材質の金属を積層した構造のクラッドコインでは、表裏では材質が異なっているものがある。このため、コイン通路に投入されたコインが、その表裏が、発振側コイルおよび受信側コイルに対していずれの向きで通過するのかに応じて、受信側コイルの出力変化が相違する。コイン通路に投入されたコインの表裏の向きが相違しても、材質の検出を行うことができるように、材質の判別基準を低く設定すると、材質に基づくコインの真偽の判別精度が低下してしまう。
【０００５】
本発明の課題は、この点に鑑みて、コイン通路に投入されたコインの表裏の向きに影響されることなく精度良く投入コインの材質を検出可能な遊技機器用コイン識別機のコインセンサを提案することにある。
【課題を解決するための手段】
【０００６】
上記の課題を解決するために、本発明の遊技機器用コイン識別機のコインセンサは、コイン通路の一方の側に配置した第１発振側コイルを備えた第１発振回路と、前記コイン通路を挟み前記第１発振側コイルに対峙させた第１受信側コイルと、前記コイン通路の他方の側に配置した第２発振側コイルを備えた第２発振回路と、前記コイン通路を挟み前記第２発振側コイルに対峙させた第２受信側コイルと、コイン通過時の前記第１受信側コイルおよび前記第２受信側コイルの各出力信号の変化に基づき、コインの材質を検出する材質検出回路とを有することを特徴としている。
【０００７】
本発明では、コイン通路を挟み受発信の方向を反対にして、第１発振側コイルおよび第１受信側コイルからなる第１コイン材質検出部と、第２発振側コイルおよび第２受信側コイルからなる第２コイン材質検出部とを配置した構成を採用している。したがって、コインの表が発振側コイルを向いた状態で通過する場合の受信側コイルの出力信号の変化と、その裏面が発振側コイルを向いた状態で通過する場合の受信側コイルの出力信号の変化の双方を検出できる。
【０００８】
したがって、例えば、真正コインについて得られるこれら２種類の出力信号の変化を、実際に検出された２種類の出力信号の変化と照合することにより、コイン材質を精度良く検出でき、これに基づき、コインの種類、真偽の判別を精度良く行うことが可能になる。
【０００９】
ここで、本発明の遊技機器用コイン識別機のコインセンサでは、コイン通過時の前記第１受信側コイルの出力の変化、および前記第２受信側コイルの出力の変化に基づき、コインの外径を検出する外径検出回路を有していることを特徴としている。
【００１０】
例えば、第１発振側コイルおよび第１受信側コイルからなる第１コイン材質検出部と、第２発振側コイルおよび第２受信側コイルからなる第２コイン材質検出部とを、所定の間隔でコイン通過方向に配置しておくことにより、コイン通過に伴って発生する第１受信側コイルおよび第２受信側コイルの出力信号波形に位相差が生ずる。したがって、例えば、双方の出力信号波形の交差点電圧に基づき、通過コインの外径を検出できる。よって、コイン外径を検出するための発振側コイルおよび受信側コイルを、コイン通路に追加する必要が無いので、その分、コインセンサの小型化、低コスト化を達成できる。
【００１１】
次に、本発明の遊技機器用コイン識別機のコインセンサでは、コイン通過時の前記第１発振側コイルおよび前記第２発振側コイルのうち、少なくとも一方の発振周波数の変化に基づき、コインの厚みを検出する厚み検出回路を有していることを特徴としている。
【００１２】
コイン通路を通過するコインと第１発振側コイルの距離に応じて、第１発振側コイルの発振周波数が変化する。この変化に基づき、通過するコインと第１発振側コインの距離を検出できる。同様に、コイン通路を通過するコインと第２発振側コイルの距離に応じて、第２発振側コイルの発振周波数が変化し、この変化に基づき、通過するコインと第２発振側コイルの距離を検出できる。コイン通路幅は既知であるので、これらの発振周波数の変化に基づき通過したコインの厚みを検出できる。
【００１３】
また、コイン通路の一方の側面に沿ってコインが通過するように設定されている場合には、第１発振側コイルおよび第２発振側コイルのうち、一方の発振周波数の変化に基づきコインの厚みを検出できる。
【００１４】
本発明によれば、コイン厚み検出用の発振側コイルおよび受信側コイルを、コイン通路に追加する必要が無いので、その分、コインセンサの小型化、低コスト化を達成できる。
【発明の効果】
【００１５】
本発明の遊技機器用コイン識別機のコインセンサでは、コイン通路を挟み受発信の向きを反対にして、第１発振側コイルおよび第１受信側コイルと、第２発振側コイルおよび第２受信側コイルとをコイン通路に配置してある。よって、コインが表面を発振側コイルに向けて通過した場合と、コインが裏面を発振側コイルに向けて通過した場合の双方について、受信側コイルの出力の変化を得ることができる。したがって、コインが表裏いずれの向きでコイン通路を通過しても、双方の受信側コイルの出力の変化に基づき、コインの材質を精度良く検出でき、これに基づき、通過したコインの真偽、種類の判定を精度良く行うことができる。
【発明を実施するための最良の形態】
【００１６】
以下に、図面を参照して、本発明を適用した遊技機器用コイン識別機のコインセンサを説明する。
【００１７】
図１は、本発明を適用した遊技機器用コイン識別機のコインセンサの一例を示す概略ブロック図である。本例のコインセンサ１は、コイン識別機のコイン通路２に取り付けられており、コイン通路２に沿ってコイン通過方向に沿って配置された第１コイン材質検出部３、コイン厚み検出部４、コイン外径検出部５、および第２コイン材質検出部６を有している。
【００１８】
第１コイン材質検出部３は、第１発振側コイル１１を備えた第１発振回路２１と、コイン通路２を挟み第１発振側コイル１１に対向配置した第１受信側コイル３１とを備えている。コイン厚み検出部４は、発振側コイル１２を備えた発振回路２２と、コイン通路２を挟み発振側コイル１２に対向配置した受信側コイル３２とを備えている。コイン外径検出部５は、発振側コイル１３を備えた発振回路２３と、コイン通路２を挟み発振側コイル１３に対向配置した受信側コイル３３を備えている。第２コイン材質検出部６は、第２発振側コイル１４を備えた第２発振回路２４と、コイン通路２を挟み第２発振側コイル１４に対向配置した第２受信側コイル３４とを備えている。
【００１９】
ここで、第１コイン材質検出部３の第１発振側コイル１１および第１受信側コイル３１と、第２コイン材質検出部６の第２発振側コイル１４および第２受信側コイル３４とは、コイン通路２を挟みそれらの受発信の方向が逆の関係となるように配置されている。すなわち、第１発振側コイル１１は、コイン通路２を規定している一方の側板２ａの背面に取り付けられており、第２発振側コイル１４は他方の側板２ｂの背面に取り付けられている。したがって、第１受信側コイル３１はコイン通路２の側板２ｂの背面に取り付けられ、第２受信側コイル３４はコイン通路２の側板２ａの背面に取り付けられている。
【００２０】
第１コイン材質検出部３の第１受信側コイル３１の出力側には、第１受信側コイル出力検出回路４１が接続されている。第１受信側コイル出力検出回路４１は、半波整流回路４１ａ、平滑回路４１ｂなどから構成されており、第１受信側コイル３１の出力に対応した出力電圧Ｖ３１を生成する。同様に、第２コイン材質検出部６においても、その第２受信側コイル３４の出力側には、第２受信側コイル出力検出回路４４が接続されている。第２受信側コイル出力検出回路４４は、半波整流回路４４ａ、平滑回路４４ｂなどから構成されており、第２受信側コイル３４の出力に対応した出力電圧Ｖ３４を生成する。
【００２１】
第１発振回路２１の第１発振側コイル１１は低周波数（例えば２８ｋＨｚ）で発振するように設定されている。第１発振側コイル１１が発振すると、それに応じてコイン通路２の磁束が変化し、この磁束の変化に応じて第１受信側コイル３１に誘起電流が発生する。コイン通路２をコインＣが通過すると、当該コインＣに渦電流が発生し、第１受信側コイル３１に鎖交する磁束密度が減少し、当該第１受信側コイル３１の誘起電流が減少する。コインＣの材質に応じて、第１受信側コイル３１に流れる電流の減衰率が異なるので、第１受信側コイル出力検出回路４１を介して得られる出力電圧Ｖ３１はコイン材質に応じて変化する。同様に、第２発振回路２４の第２発振側コイル１４も低周波数（例えば２８ｋＨｚ）で発振し、コインＣの材質に応じて、第２受信側コイル出力検出回路４４を介して得られる出力電圧Ｖ３４もコイン材質に応じて変化する。
【００２２】
次に、コイン厚み検出部４の受信側コイル３２の出力は受信側コイル出力検出回路４２によって検出され、通過コインの厚みを検出するための出力電圧Ｖ３２として出力される。また、コイン外径検出部５の受信側コイル３３の出力は受信側コイル出力検出回路４３によって検出され、通過コインの外径を検出するための出力電圧Ｖ３３として出力される。
【００２３】
各出力電圧Ｖ３１〜Ｖ３４はコイン識別回路４５に供給される。コイン識別回路４５は、これらに基づき、通過コインＣの材質、厚み、および外径を検出する検出回路として機能すると共に、検出結果に基づき、通過コインＣの真偽および種類を判定する判定回路として機能する。
【００２４】
ここで、コイン厚み検出用の受信側コイル３２の出力は、当該受信側コイル３２と、通過するコインＣとの距離に応じて変化する。本例では、コイン通路２の側板２ａに沿ってコインＣが通過するように設定されているので、受信側コイル３２の出力は、通過するコインＣとの距離に対応している。コイン通路２の幅は一定であるので、通過するコインＣの厚みに応じて受信側コイル３２の出力が変動する。よって、コイン識別回路４５では、出力電圧Ｖ３３に基づき、通過コインＣの厚みを検出できる。また、コイン外径検出用の受信側コイル３３から得られる出力電圧Ｖ３３の波形を一定の閾値と比較することにより、通過コインＣの外径を検出できる。
【００２５】
また、コイン識別回路４５では、コイン材質検出用の二種類の出力電圧Ｖ３１およびＶ３４に基づきコイン材質を検出するようにしている。出力電圧Ｖ３１を得るための第１発振側コイル１１および第１受信側コイル３１と、出力電圧Ｖ３４を得るための第２発振側コイル１４および第２受信側コイル３４とでは、コイン通路２を挟みその受発信の関係が逆向きとなっている。したがって、コインＣの表面が第１発振側コイル１１に面する状態で通過した場合には、コインＣの裏面が第２発振側コイル１４に面する状態で通過し、逆に、コインＣの裏面が第１発振側コイル１１に面する状態で通過した場合には、コインＣの表面が第２発振側コイル１４に面する状態で通過する。
【００２６】
コインＣの表裏の凹凸状態、材質などが相違している場合には、コイン材質を表す出力電圧は、コインＣがその表面が発振側コイルに対峙した状態で通過した場合と、その裏面が発振側コイルに対峙した状態で通過した場合とは相違したものとなる。コイン識別回路４５では、第１受信側コイル３１および第２受信側コイル３４から、これら二種類の出力電圧を常に受け取ることができ、これらに基づき、通過したコインＣの材質を検出している。よって、コインＣがいずれの向きで通過した場合においても、精度良く、コインの材質を検出でき、これに基づき、精度良く通過したコインの真偽、種類を判別できる。
【００２７】
図２（ａ）および（ｂ）には、真正コイン、例えば５００円硬貨がその表面を第１発振側コイル１１に向けた状態で通過した場合（換言すると、その裏面を第２発振側コイル１４に向けた状態で通過した場合）に得られる出力電圧Ｖ３１およびＶ３４の波形例を示してある。この場合、偽造コインを、その表面を第１発振側コイル１１に向けた状態で通過させた場合に、図２（ｃ）および（ｄ）に示すようなほぼ同一波形の出力電圧Ｖ３１ａおよびＶ３４ａが得られ、これらの検出領域における波形レベルが真正コインの出力電圧Ｖ３４の波形レベルと実質的に同一であると仮定する。
【００２８】
従来の材質検出では、一組の発振側コイルおよび受信側コイルを用いているので、真正コインがその表面を発振側コイルに向けた状態で通過した場合および、裏面を発振側コイルに向けた状態で通過した場合にそれぞれ得られる図２（ａ）、（ｂ）のいずれかと実質的に同一の波形が得られる場合には、通過したコインを真正コインであると判定している。この判定方法では、発振側コイルに対して表面が向いた状態の場合に図２（ｃ）の波形が得られ、裏面が向いた状態の場合にも図２（ｄ）に示す同様な波形が得られる偽造コインの場合には、これらの波形が真正コインの図２（ｂ）の波形と実質的に同一であるので真正コインであると判定されてしまう。
【００２９】
しかしながら、本例のコイン識別回路４５では、二種類の出力電圧波形の一方が図２（ａ）となり、他方が図（ｂ）となる場合にのみ真正コインであると判定することができる。よって、従来においては識別できなかった図２（ｃ）、（ｄ）に示す出力波形が得られるような偽造コインを偽造ものであるとして識別することが可能となり、コインの識別精度が向上する。
【００３０】
（その他の実施の形態）
図３は本発明を適用した遊技機器用コイン識別機のコインセンサの別の例を示す概略ブロック図である。本例のコインセンサ５０では、コイン材質検出用の第１発振側コイル１１および第１受信側コイル３１と、第２発振側コイル１４および第２受信側コイル３４とを用いて、コインの外径も検出するように構成したものである。これら二組のコイン材質検出部３、６を、例えば、コイン通路２のコイン通過方向に沿って適切な間隔となるように配置することにより、第１受信側コイル３１および第２受信側コイル３４から得られる出力電圧Ｖ３１、Ｖ３４の波形における交差位置に基づき、通過するコインＣの外径を検出できる。この構成によれば、図１に示すコイン外径検出部５を省略することができるので、その分、コインセンサの小型化、低コスト化を達成できる。
【００３１】
次に、図４は本発明を適用した遊技機器用コイン識別機のコインセンサの更に別の例を示す概略ブロック図である。本例のコインセンサ６０では、図３のコインセンサ５０からコイン厚み検出部４を省略し、第１コイン材質検出部３と、第２コイン材質検出部６のみを用いて、コインの材質、厚み、および外径を検出し、これに基づきコインを識別するようになっている。
【００３２】
そのために、本例のコインセンサ６０では、厚み検出のために、第１発振側コイル１１および第２発振側コイル１４に発振周波数検出回路６１、６２をそれぞれ接続し、これらにおいて測定された発振周波数ｆ１１、ｆ１４を、コイン識別回路４５に供給している。コイン識別回路４５では、これらの発振周波数ｆ１１、ｆ１４に基づきコイン厚みを判別する。そして、出力電圧Ｖ３１、Ｖ３４と、発振周波数ｆ１１、ｆ１４とに基づき、通過したコインＣの材質、厚み、および外径を検出して、当該コインの真偽、種類を判別している。
【００３３】
すなわち、第１発振側コイル１１が発振している状態で、コイン通路２をコインＣが通過すると、第１発振側コイル１１とコインＣの距離に応じて、発振周波数ｆ１１が変化する。同様に、第２発振側コイル１４が発振している状態で、コイン通路をコインＣが通過すると、第２発振側コイル１４とコインＣの距離に応じて、発振周波数ｆ１４が変化する。コイン通路２の幅は一定であるので、これら発振周波数ｆ１１、ｆ１４の変化に基づき、通過するコインＣの厚みを検出できる。
【００３４】
なお、コインＣを例えば第１受信側コイル３１の側板２ｂに沿って常に通過させるようにすれば、第１発振側コイル１１とコインＣの距離は通過するコインＣの厚みに応じて変化する。すなわち、厚いコインＣが通過する際には距離が狭くなり、薄いコインＣが通過する際には距離が広くなる。この場合には、発振周波数ｆ１１のみに基づきコイン厚みを検出可能である。
【００３５】
本例のコインセンサ６０によれば、コイン通路２に、第１コイン材質検出部３および第２コイン材質検出部６のみを設けるだけでよいので、コインセンサの小型化、低コスト化を達成できる。
【図面の簡単な説明】
【００３６】
【図１】本発明を適用したコインセンサの主要部を示す概略構成図である。
【図２】図１のコインセンサの出力電圧波形を示すグラフである。
【図３】本発明を適用したコインセンサの別の例を示す概略構成図である。
【図４】本発明を適用したコインセンサの更に別の例を示す概略構成図である。
【符号の説明】
【００３７】
１、５０、６０  コインセンサ
２    コイン通路
２ａ、２ｂ  側板
３    第１コイン材質検出部
４    コイン厚み検出部
５    コイン外径検出部
６    第２コイン材質検出部
１１  第１発振側コイル
１２、１３  発振側コイル
１４  第２発振側コイル
２１  第１発振回路
２２、２３  発振回路
２４  第２発振回路
３１  第１受信側コイル
３２、３３  受信側コイル
３４  第２受信側コイル
４１  第１受信側コイル出力検出回路
４２、４３  受信側コイル出力検出回路
４４  第２受信側コイル出力検出回路
４５  コイン識別回路
６１、６２  周波数検出回路
Ｃ    コイン
Ｖ３１、Ｖ３４  出力電圧
ｆ１１、ｆ１４  発振周波数
【図１】
2007179180.tif 000003
【図２】
2007179180.tif 000004
【図３】
2007179180.tif 000005
【図４】
2007179180.tif 000006